(57)【特許請求の範囲】
【請求項１】
制御局又は副制御局として動作するドアホン親機と、前記ドアホン親機または他の制御局として動作するコードレス電話親機の従属局として動作可能な子機とを備え、前記ドアホン親機と前記子機が無線通信を行う無線通信装置であって
前記ドアホン親機は、
無線通信を行う無線部と、
前記コードレス電話親機の制御信号を検索するように前記無線部を制御する制御局通信制御部と、
前記子機との送受信を行うように前記無線部を制御する無線制御部と、
呼出の報知を行う報知部と、
来客者の音声を出力し、応答者の音声を入力する通話部と、
呼出イベントを入力する入力手段と、
呼出イベントを記憶するイベント記憶部と、
主制御部を備え、
前記主制御部は、前記制御局通信制御部が前記コードレス電話親機の制御信号を継続的に受信している時に前記入力手段により呼出イベントが入力されると、前記無線制御部に前記子機に対する呼出を指示すると共に前記報知部で来客の報知を開始し、
前記主制御部は、前記制御局通信制御部が前記コードレス電話親機の制御信号を検索している時に前記入力手段により呼出イベントが入力されると、前記報知部で来客の報知を開始し、前記イベントを前記イベント記憶部に記憶させ、予め決められた時間内に前記コードレス電話親機の制御信号を継続的に受信できない場合は単独で前記子機に対して制御信号の送信を開始して前記子機に対する呼出をすることを特徴とする無線通信装置。
【請求項２】
前記ドアホン親機が前記コードレス電話親機の検索を開始してから予め決められた時間内に前記コードレス電話親機の制御信号を継続的に受信している状態に変化しなかった場合、単独で前記子機に対して制御信号の送信を開始することを特徴とする請求項１記載の無線通信装置。
【請求項３】
主制御局又は副制御局として動作するドアホン親機と、主制御局として動作するコードレス電話親機と、前記ドアホン親機又はコードレス電話親機に従属する子機とで構成された無線通信システムであって、
前記ドアホン親機は、
無線通信を行う無線部と、
前記コードレス電話親機の制御信号を検索するように前記無線部を制御する制御局通信制御部と、
前記子機との送受信を行うように前記無線部を制御する無線制御部と、
呼出の報知を行う報知部と、
来客者の音声を出力し、応答者の音声を入力する通話部と、
呼出イベントを入力する入力手段と、
呼出イベントを記憶するイベント記憶部と、
主制御部を備え、
前記主制御部は、前記制御局通信制御部が前記コードレス電話親機の制御信号を継続的に受信している時に前記入力手段により呼出イベントが入力されると、前記無線制御部に前記子機に対する呼出を指示すると共に前記報知部で来客の報知を開始し、
前記主制御部は、前記制御局通信制御部が前記コードレス電話親機の制御信号を検索している時に前記入力手段により呼出イベントが入力されると、前記報知部で来客の報知を開始し、前記呼出イベントを前記イベント記憶部に記憶させ、予め決められた時間内に前記コードレス電話親機の制御信号を継続的に受信できない場合は単独で前記子機に対して制御信号の送信を開始して前記子機に対する呼出をすることを特徴とする無線通信システム。
【請求項４】
前記ドアホン親機が前記コードレス電話親機の検索を開始してから予め決められた時間内に前記コードレス電話親機の制御信号を継続的に受信している状態に変化しなかった場合、単独で前記子機に対して制御信号の送信を開始することを特徴とする請求項３記載の無線通信システム。
【発明の詳細な説明】
【技術分野】
【０００１】
本発明は、複数の制御局として動作する無線通信装置と従属局として動作する無線通信装置とで構成される無線通信システムに関する。
【背景技術】
【０００２】
複数の制御局として動作する無線通信装置と従属局として動作する無線通信装置とで構成される無線通信システムがある。例えば、図５に示すようにコードレス電話親機５０１を制御局とし、その従属局とするコードレス電話子機５０２から構成されるコ−ドレス電話システムと、ドアホン５０４と接続されたドアホン親機５０３を制御局とし、ドアホン親機５０３の従属局としてドアホン子機５０５から構成される無線ドアホンシステムにおいて、コ−ドレス電話システムの一部として無線ドアホンシステムを動作させる目的で、コードレス電話親機５０１を無線通信システム全体の制御局とし、コードレス電話親機５０１の従属局としてドアホン親機５０３を動作させることで、コードレス電話子機５０２とドアホン子機５０５はコードレス電話親機５０１とドアホン親機５０３を経由して互いに通信可能となる。このような無線通信システムを構成した場合、コードレス電話子機５０２とドアホン子機５０５間の通信等が可能となり、その利便性が高まる。
【０００３】
従属局は制御局から定期的に送信される制御信号を検索し、さらに継続的に受信することにより同期が維持され、無線通信可能となる。したがって、前記無線通信システムにおいても、ドアホン親機５０３はコードレス電話親機５０１が定期的に送信する制御信号を検索し、さらに継続的に受信することにより無線通信可能となる。
【０００４】
なお、複数の親機で同一のコードレス電話システムを構成させる場合において、複数の親機の中の基準となる親機から送信される制御信号を他の親機で受信させ、この制御信号の受信タイミングに同期させて他の親機から制御信号を送信するようにしたものが知られている（特許文献１）。
【０００５】
また、屋外で利用する携帯電話機能と、主に自宅周辺で利用するコードレス電話の機能を有するデジタル方式の無線電話装置親機において、公衆基地局のタイムスロットのタイミングを抽出するタイミング抽出部を設け、無線電話装置親機が公衆基地局のタイムスロットのタイミングを基に無線電話装置子機に対するタイムスロットのタイミングを設定するものが知られている（特許文献２）。
【特許文献１】特開平８−２５１６６１号公報
【特許文献２】特開平７−８７５５６号公報
【発明の開示】
【発明が解決しようとする課題】
【０００６】
無線通信システム全体の制御局として動作するコードレス電話親機、コードレス電話親機の従属局として動作するコードレス電話子機及び無線ドアホン親機、さらに無線ドアホンシステム内においては制御局として動作する無線ドアホン親機、無線ドアホン親機の従属局として動作するドアホン子機から構成される無線通信システムにおいて、解決しようとする問題点は、無線ドアホン親機がコードレス電話親機からの制御信号を検索している状態にある時、ドアホン呼出が発生してしまうと、ドアホン子機に対してドアホン呼出を送信できなくなってしまうという点である。これは、無線ドアホンシステム単体では不自由なく利用できた機能が、コ−ドレス電話システムと無線ドアホンシステムを連携させたことで、利用できない場合が発生してしまうことになる。
【０００７】
そこで本発明は、無線制御部の状態が他の制御局からの制御信号を検索している状態にある時、無線通信を必要とするイベントが発生しても、制御信号を検索している状態から継続的に受信している状態に変化する又はしないに関わらず、前記イベントに対応した無線制御部に従属局通信制御の指示を行う制御を行うことが可能となることを目的とする。
【課題を解決するための手段】
【０００８】
本発明は、制御局又は副制御局として動作するドアホン親機と、前記ドアホン親機または他の制御局として動作するコードレス電話親機の従属局として動作可能な子機とを備え、前記ドアホン親機と前記子機が無線通信を行う無線通信装置であって前記ドアホン親機は、無線通信を行う無線部と、前記コードレス電話親機の制御信号を検索するように前記無線部を制御する制御局通信制御部と、前記子機との送受信を行うように前記無線部を制御する無線制御部と、呼出の報知を行う報知部と、来客者の音声を出力し、応答者の音声を入力する通話部と、呼出イベントを入力する入力手段と、呼出イベントを記憶するイベント記憶部と、主制御部を備え、前記主制御部は、前記制御局通信制御部が前記コードレス電話親機の制御信号を継続的に受信している時に前記入力手段により呼出イベントが入力されると、前記無線制御部に前記子機に対する呼出を指示すると共に前記報知部で来客の報知を開始し、前記主制御部は、前記制御局通信制御部が前記コードレス電話親機の制御信号を検索している時に前記入力手段により呼出イベントが入力されると、前記報知部で来客の報知を開始し、前記イベントを前記イベント記憶部に記憶させ、予め決められた時間内に前記コードレス電話親機の制御信号を継続的に受信できない場合は単独で前記子機に対して制御信号の送信を開始して前記子機に対する呼出をすることを特徴とする。
【発明の効果】
【００１０】
本発明は、コードレス電話親機の制御信号を検索している時、入力手段により呼出イベントが入力されるとそのイベントをイベント記憶部に記憶させるので、予め決められた時間内にコードレス電話親機の制御信号を継続的に受信できなかった場合でもこの呼出イベント対応して子機に対する呼出を行なうことが可能となる。
【発明を実施するための最良の形態】
【００１２】
本発明は、無線制御部の状態が他の制御局からの制御信号を検索している状態にある時、無線通信を必要とするイベントが発生した場合でも、そのイベントに対応した制御を行うようにした。
【００１３】
本願の第１の発明は、制御局又は副制御局として動作するドアホン親機と、前記ドアホン親機または他の制御局として動作するコードレス電話親機の従属局として動作可能な子機とを備え、前記ドアホン親機と前記子機が無線通信を行う無線通信装置であって前記ドアホン親機は、無線通信を行う無線部と、前記コードレス電話親機の制御信号を検索するように前記無線部を制御する制御局通信制御部と、前記子機との送受信を行うように前記無線部を制御する無線制御部と、呼出の報知を行う報知部と、来客者の音声を出力し、応答者の音声を入力する通話部と、呼出イベントを入力する入力手段と、呼出イベントを記憶するイベント記憶部と、主制御部を備え、前記主制御部は、前記制御局通信制御部が前記コードレス電話親機の制御信号を継続的に受信している時に前記入力手段により呼出イベントが入力されると、前記無線制御部に前記子機に対する呼出を指示すると共に前記報知部で来客の報知を開始し、前記主制御部は、前記制御局通信制御部が前記コードレス電話親機の制御信号を検索している時に前記入力手段により呼出イベントが入力されると、前記報知部で来客の報知を開始し、前記イベントを前記イベント記憶部に記憶させ、予め決められた時間内に前記コードレス電話親機の制御信号を継続的に受信できない場合は単独で前記子機に対して制御信号の送信を開始して前記子機に対する呼出をするようにしたものである。
【００１４】
したがって、制御局通信制御部の状態が第２の装置を検索している状態にある時にイベントが発生した場合、第２の装置の検索を止め、従属局との無線通信を開始し、従属局との同期が取れてからイベントに対応した制御を行うことになり、極力無線通信システム内の同期が保たれた状態でイベントに対応した制御を行うことができる。
【００１５】
本願の第２の発明は、前記第１の装置が前記第２の装置の第２の制御信号を検索している状態にある時、入力手段において無線通信を必要とするイベントが発生した場合、前記第１の装置が前記第２の制御信号の検索を開始してから予め決められた時間内に前記第２の制御信号を継続的に受信している状態に変化しなかった場合は前記第３の装置に対して前記第１の制御信号の送信を開始してイベントに対応した制御を行うことを特徴としたものである。
【００１６】
したがって、制御局通信制御部がコードレス電話親機の制御信号を検索している時に入力手段による呼出イベントが発生した場合でも、この呼出イベントをイベント記憶部に記憶させ、予め決められた時間内にコードレス電話親機の制御信号を検索している状態から継続的に受信している状態に変化しなかった場合、制御信号の検索を止め、単独で子機に対して制御信号の送信を開始して子機に対する呼出をし、イベント記憶部に記憶させた無線通信を必要とするイベントに対応した制御を行うことができる。
【００１７】
本願の第２の発明は、主制御局又は副制御局として動作するドアホン親機と、主制御局として動作するコードレス電話親機と、前記ドアホン親機又はコードレス電話親機に従属する子機とで構成された無線通信システムであって、前記ドアホン親機は、無線通信を行う無線部と、前記コードレス電話親機の制御信号を検索するように前記無線部を制御する制御局通信制御部と、前記子機との送受信を行うように前記無線部を制御する無線制御部と、呼出の報知を行う報知部と、来客者の音声を出力し、応答者の音声を入力する通話部と、呼出イベントを入力する入力手段と、呼出イベントを記憶するイベント記憶部と、主制御部を備え、前記主制御部は、前記制御局通信制御部が前記コードレス電話親機の制御信号を継続的に受信している時に前記入力手段により呼出イベントが入力されると、前記無線制御部に前記子機に対する呼出を指示すると共に前記報知部で来客の報知を開始し、前記主制御部は、前記制御局通信制御部が前記コードレス電話親機の制御信号を検索している時に前記入力手段により呼出イベントが入力されると、前記報知部で来客の報知を開始し、前記呼出イベントを前記イベント記憶部に記憶させ、予め決められた時間内に前記コードレス電話親機の制御信号を継続的に受信できない場合は単独で前記子機に対して制御信号の送信を開始して前記子機に対する呼出をするようにしたものである。
【００１８】
したがって、コードレス電話親機の制御信号を検索している状態で、入力手段によりドアホン呼出開始のイベントが入力されると、報知部で来客の報知を開始し、制御局通信制御部がコードレス電話親機の制御信号を検索している状態から継続的に受信している状態に変化する場合、または予め決められた時間内にコードレス電話親機の制御信号を継続的に受信できない場合でも、無線ドアホンシステムの子機に対するドアホン呼出をすることができる。
【００１９】
（実施の形態）
図１は、本発明の実施の形態に係る無線通信システムの構成を説明する図である。図２は、本発明の実施の形態に係る無線ドアホン親機とドアホンの構成を説明する図である。図３及び図４は、本発明の実施の形態に係る無線通信システムの動作を説明するシーケンスチャートである。
【００２０】
図１に示すように、本発明の実施の形態に係る無線通信システムは、コードレス電話システムと無線ドアホンシステムから構成される。コードレス電話システムは、コードレス電話システムの制御局として動作する無線通信装置であるコードレス電話親機１０１と、コードレス電話親機１０１の従属局として動作する無線通信装置であるコードレス電話子機１０２から構成される。コードレス電話親機１０１は、制御信号を定期的に送信する。
【００２１】
また、無線ドアホンシステムは、無線ドアホンシステムの制御局として動作する無線通信装置である無線ドアホン親機１０３と、無線ドアホン親機１０３に有線接続された通話部と操作部を備えたドアホン１０４と、無線ドアホン親機１０３の従属局として動作する無線通信装置であるドアホン子機１０５から構成される。コードレス電話親機１０１とコードレス電話子機１０２との間、無線ドアホン親機１０３とドアホン子機１０５との間、コードレス電話親機１０１と無線ドアホン親機１０３との間はＴＤＭＡ（時分割多重）方式により通信を行なう。
【００２２】
さらに、コードレス電話親機１０１は無線通信システム全体の制御局として動作し、無線ドアホン親機１０３はコードレス電話親機１０１の従属局として動作する。このような構成とすることにより、コードレス電話システムと無線ドアホンシステムの相互通信が可能となる。その結果、コードレス電話子機１０２とドアホン子機１０５間の通信等が可能となり、コードレス電話親機１０１の従属局、かつ無線ドアホン親機１０３の従属局となることが可能な兼用子機１０６があれば、１台で直接両システムの親機の子機となることができるため、さらに利便性が高くなる。
【００２３】
図２に示すように、無線ドアホン親機１０３は、ドアホン１０４と有線接続されている。例えばドアホン１０４は、通常は玄関の外壁や門柱に取り付けられ、屋内または屋外の配線を介して家屋内の無線ドアホン親機１０３に接続される。無線ドアホン親機１０３は、制御信号検出部２０２と、制御信号検索タイマ部２０３と、ドアホン呼出イベント記憶部２０４と、データ受信部２０５と、制御信号送信部２０７と、データ送信部２０８とを備える無線制御部と、無線部２０１と、主制御部２０６と、報知部２０９と、ドアホン親機操作部２１０と、ドアホン親機通話部２１１で構成される。ドアホン１０４はドアホン操作部２１２とドアホン通話部２１３で構成される。無線部２０１は、ＴＤＭＡ（時分割多重）通信を行うために変復調を行って、アンテナを介して送受信する。主制御部２０６は、無線ドアホン親機全体の制御を行ものであり、ドアホン１０４と無線ドアホン親機１０３間、またはドアホン１０４と無線ドアホン親機１０３を介したドアホン子機１０５間の報知、ドアホン呼出、応答及び通話等の制御を行う。
【００２４】
制御信号検索タイマ部２０３は、制御信号検索タイマが未動作中に制御信号検出部２０２から制御信号検索タイマ起動通知を入力すると制御信号検索タイマを起動し、制御信号検索タイマが動作中に制御信号検索タイマ停止通知を入力すると制御信号検索タイマを停止する。例えば無線ドアホン親機１０３が起動すると、制御信号検索タイマ部２０３は無線部２０１を制御信号検索処理を開始させ、それと同時に制御信号検索タイマ部２０３は、制御信号検索タイマ（以下、検索タイマと呼ぶ）を起動させる。
【００２５】
制御信号検出部２０２は、無線部２０１を介して受信した受信信号の中からコードレス電話親機１０１が送信した制御信号を検出した場合、制御信号検索タイマ部２０３に検索タイマ停止通知を出力し、さらに制御信号送信部２０７に制御信号検出成功通知を出力する。また、無線部２０１を介して受信した受信信号の中から制御信号が検出されない間は検索タイマはカウントを続ける。この制御信号検索タイマが起動中（カウント中）の間は、無線部２０１を制御信号検索処理を続ける。
【００２６】
制御信号検索タイマが動作中に制御信号検索タイマ停止通知を入力した場合、制御信号検索タイマ部２０３はドアホン呼出イベント記憶部２０４へ制御信号検索成功通知を出力する。制御信号検索タイマ停止通知がこないまま制御信号検索タイマ値が予め決められた制御信号検索タイマ満了値に到達すると、制御信号検索タイマ部２０３はドアホン呼出イベント記憶部２０４へ制御信号検索失敗通知を出力する。
【００２７】
ドアホン１０４でのドアホン操作部２１２を操作することによりドアホン呼出信号が発せられると、ドアホン呼出イベント記憶部２０４に主制御部２０６を介してドアホン呼出イベントが入力され、このドアホン呼出イベント記憶部２０４にドアホン呼出イベントの情報が格納される。
【００２８】
ある時、例えば来訪者がドアホン１０４のドアホン操作部２１２を操作し、ドアホン呼出イベント記憶部２０４にドアホン呼出イベントの情報が格納されている時に制御信号検索タイマ部２０３から制御信号検索成功通知、または制御信号検索失敗通知を入力すると、ドアホン呼出イベント記憶部２０４に格納されているドアホン呼出イベントの情報がデータ送信部２０８に対して出力される。それに従ってデータ送信部２０８は、ドアホン１０４からのドアホン呼出情報を無線部２０１を介して送信する。
【００２９】
制御信号送信部２０７は、無線ドアホン親機１０３の従属局であるドアホン子機１０５や兼用子機１０６に対して制御信号を送信する。近くのコードレス電話親機１０１が送信する制御信号が継続的に受信できる状態であれば、コードレス電話親機１０１の制御信号送信周期と同じ周期で制御信号検出部２０２から制御信号検出成功通知が発せられ、それが制御信号送信部２０７へ入力される。制御信号送信部２０７はこの制御信号検出成功通知に同期してドアホン子機１０５等に対する制御信号を送信する。したがって制御信号送信部２０７が送信する制御信号は、コードレス電話親機１０１から受信する制御信号に同期することになる。この制御信号はドアホン子機１０５等で受信される他、兼用子機１０６やコードレス電話子機１０２でも受信可能となる。
【００３０】
例えばコードレス電話親機１０１が送信する制御信号が受信できない状態では、制御信号送信部２０７へ制御信号検出成功通知は入力されず、この状態では制御信号送信部２０７は制御信号の送信と中止する。
【００３１】
また、制御信号検索タイマ部２０３から制御信号検索失敗通知を入力した場合、無線ドアホン親機１０３独自のタイミングで制御信号を送信開始する。すなわちコードレス電話親機１０１の制御信号が受信されないまま（制御信号検索タイマ停止通知がこないまま）検索タイマの値が予め決められた制御信号検索タイマ満了値に到達すると、制御信号検索タイマ部２０３から制御信号検索失敗通知が発せられ、それにしたがって制御信号送信部２０７は無線ドアホン親機１０３独自のタイミングで制御信号の送信を開始する。
【００３２】
データ受信部２０５は、受信信号の中から無線ドアホン親機１０３宛ての受信データ処理を行い、主制御部２０６に受信データを出力する。この受信データには、ドアホン子機１０５で応答者が応答操作を行った場合に受信するドアホン呼出応答、以降に続くドアホン子機１０５からの音声等が含まれる。
【００３３】
データ送信部２０８は、ドアホン１０４からのドアホン呼出及び音声を、主制御部２０６を介して入力し、送信データ処理を行い、無線部２０１を介して送信する。また、ドアホン呼出イベント記憶部２０４からドアホン呼出イベントを入力した場合も、同様に送信データ処理を行い、無線部２０１を介して送信する。
【００３４】
報知部２０９は、ドアホン１０４からのドアホン呼出を、主制御部２０６を介して入力した場合、ドアホン親機通話部２１１が備えているスピーカーにより報知する。
【００３５】
ドアホン親機操作部２１０は、応答ボタンを備え、報知部２０９でドアホン呼出が報知された際、応答者が応答ボタンを押すことにより、主制御部２０６はドアホン１０４のドアホン通話部２１３と無線ドアホン親機１０３のドアホン親機通話部２１１間の通話を可能とする。
【００３６】
ドアホン親機通話部２１１は、スピーカーとマイクを備えており、主制御部２０６を介して、応答者がドアホン１０４のドアホン通話部２１３と通話を行う機能を持つ。
【００３７】
ドアホン操作部２１２は、呼出ボタンを備え、来客者が呼出ボタンを押すことにより、無線ドアホン親機１０３に対してドアホン呼出を出力する。
【００３８】
ドアホン通話部２１３は、スピーカーとマイクを備えており、主制御部２０６を介して、来客者が応答と通話を行う機能を持つ。
【００３９】
以上のように構成される本発明の実施の形態に係る無線通信システムの動作の説明を行う。
【００４０】
まず、無線ドアホン親機１０３あるいはコードレス電話親機１０１の電源投入直後の場合、無線ドアホン親機１０３がコードレス電話親機１０１の通信圏外に一時的になってしまった場合、または干渉源やフェージング等の無線環境の変化によってコードレス電話親機１０１からの制御信号を受信できなくなった場合、無線ドアホン親機１０３は以下のような動作を行う。
【００４１】
無線ドアホン親機１０３の電源投入直後、制御信号検出部２０２は制御信号タイマ起動通知を発行し、制御信号検出部２０２から制御信号タイマ起動通知を入力した制御信号検索タイマ部２０３は、制御信号検索タイマを起動し、無線部２０１を制御信号検索状態にする。無線部２０１が制御信号検索状態の場合、無線部２０１は連続受信を行い、制御信号検出部２０２から制御信号検索タイマ停止通知を入力するまで、制御信号検索タイマ部２０３は無線部２０１を制御信号検索状態のまま維持させる。
【００４２】
制御信号検索状態の無線部２０１を介して、制御信号検出部２０２がコードレス電話親機１０１からの制御信号を検出すると、制御信号検索タイマ部２０３に対して制御信号検索タイマ停止通知を出力し、制御信号送信部２０７に対して制御信号検出成功通知を出力する。制御信号検索タイマ動作中に制御信号検索タイマ停止通知を入力した制御信号検索タイマ部２０３は、制御信号検索タイマを停止するとともに、連続受信を行っている無線部２０１の制御信号検索状態を、コードレス電話親機１０１が定期的に送信する制御信号に同期して制御信号を受信できる同期維持状態に変更する。制御信号検出成功通知を入力した制御信号送信部２０７は、コードレス電話親機１０１から受信する制御信号が含まれるＴＤＭＡスロット以外のＴＤＭＡスロット上で、ドアホン子機１０５や兼用子機１０６に無線部２０１を介して制御信号を送信する。このように動作することで、無線ドアホン親機１０３はコードレス電話親機１０１に同期することになる。またこの状態では、ドアホン子機１０５と兼用子機１０６は無線ドアホン親機１０３に同期するため、結果的に無線通信システム全体がコードレス電話親機１０１に同期することになる。
【００４３】
次に、無線通信システム全体がコードレス電話親機１０１に同期した状態にある時、以下のような無線通信が可能となる。
【００４４】
来客者がドアホン１０４のドアホン操作部２１２の呼出ボタンを押し、主制御部２０６にドアホン呼出を出力する。ドアホン呼出を入力した主制御部２０６は、報知部２０９及びデータ送信部２０８にドアホン呼出を出力する。ドアホン呼出を入力した報知部２０９は、報知を開始する。同時に、ドアホン呼出を入力したデータ送信部２０８は、空きＴＤＭＡスロット上で無線部２０１を介して、無線ドアホンシステム下の全子機に対してドアホン呼出報知を送信する。たとえばドアホン呼出報知を受信したドアホン子機１０５は、スピーカーやベルで呼出音を鳴らす。応答者がドアホン子機１０５の応答ボタンを押すことにより、ドアホン子機１０５はまず空きＴＤＭＡスロット上で無線ドアホン親機１０３と通話するための通信スロットを確立する。
【００４５】
通信スロットが確立すると、ドアホン子機１０５は無線ドアホン親機１０３にドアホン子機応答を送信する。無線部２０１を介して、ドアホン子機応答を受信したデータ受信部２０５は、主制御部２０６にドアホン子機呼出応答を出力する。ドアホン子機呼出応答を入力した主制御部２０６は、ドアホン１０４のドアホン通話部２１３とデータ受信部２０５を接続することで、無線ドアホン親機１０３を経由して、ドアホン子機１０５とドアホン１０４間で通話できるようになる。
【００４６】
次に、無線ドアホン親機１０３がコードレス電話親機１０１から送信される制御信号を検索している状態であって無線ドアホン親機１０３とコードレス電話親機１０１との同期が確立されていない時に来客者がドアホン１０４のドアホン操作部２１２の呼出ボタンを押した場合の動作について、以下の二つの場合に分けて説明する。
【００４７】
［制御信号検索タイマ満了前に制御信号を受信］
まず、図３のように、制御信号検索タイマ満了前にコードレス電話親機１０１からの制御信号を受信できた場合の説明を行う。
【００４８】
無線ドアホン親機１０３の同期が外れたとき、すなわち同期維持状態であった無線部２０１を介してコードレス電話親機１０１から送られていた制御信号が制御信号検出部２０２で検出できなくなった場合、制御信号検出部２０２は制御信号検索タイマ部２０３に制御信号検索タイマ起動通知を出力する。
【００４９】
この場合、制御信号検出部２０２は制御信号送信部２０７に対して制御信号検出成功通知を出力しなくなるため、制御信号送信部２０７はドアホン子機１０５や兼用子機１０６に対して制御信号を送信しなくなる。その結果、無線ドアホンシステムの同期維持ができなくなってしまう。このように、制御信号検索タイマ未動作中に制御信号検索タイマ起動通知を入力した制御信号検索タイマ部２０３は、制御信号検索タイマを起動し、無線部２０１を制御信号検索状態にする。この制御信号検索状態では無線部２０１は連続受信を行い、制御信号検索タイマ部２０３から同期維持状態になるよう指示されるまで、制御信号検索状態を維持する。
【００５０】
この制御信号検索状態（無線ドアホン親機１０３と非同期、かつ制御信号検索タイマ満了前）で、来客者がドアホン１０４のドアホン操作部２１２の呼出ボタンを押した場合、主制御部２０６はドアホン呼出を入力し、報知部２０９にドアホン呼出を出力するとともに、ドアホン呼出イベント記憶部２０４にドアホン呼出イベントを記憶させる。そして無線ドアホン親機１０３自体においては、ドアホン呼出を入力した報知部２０９が報知を開始する。
【００５１】
コードレス電話親機１０１からの制御信号を無線部２０１を介して制御信号検出部２０２が検出すると、それが制御信号検索タイマ満了前（タイマ動作中）であれば制御信号を検出した制御信号検出部２０２は、制御信号検索タイマ部２０３に制御信号検索タイマ停止通知を出力し、さらに制御信号送信部２０７に制御信号検出成功通知を出力する。このタイマ動作中に制御信号検索タイマ停止通知を入力した制御信号検索タイマ部２０３は、制御信号検索タイマを停止し、ドアホン呼出イベント記憶部２０４に制御信号検索成功通知を出力し、連続受信を行っている無線部２０１の制御信号検索状態を、コードレス電話親機１０１が定期的に送信する制御信号に同期して、制御信号を受信できる同期維持状態に変更する。
【００５２】
制御信号検出成功通知を入力した制御信号送信部２０７は、コードレス電話親機１０１から受信する制御信号が含まれるＴＤＭＡスロット以外のＴＤＭＡスロット上で、ドアホン子機１０５や兼用子機１０６に無線部２０１を介して制御信号を送信する。その後、制御信号検索成功通知を入力したドアホン呼出イベント記憶部２０４は、事前に記憶していたドアホン呼出イベントをデータ送信部２０８に出力する。ドアホン呼出イベントを入力したデータ送信部２０８は、空きＴＤＭＡスロット上で無線部２０１を介して、無線ドアホンシステム下の全子機に対してドアホン呼出報知を送信する。
【００５３】
このようにコードレス電話親機１０１から制御信号が受信できた後は、無線ドアホン親機１０３はコードレス電話親機１０１に同期し、さらにドアホン子機１０５と兼用子機１０６は無線ドアホン親機１０３に同期するため、結果的に無線通信システム全体がコードレス電話親機１０１に同期することになり、空きＴＤＭＡスロット上で無線ドアホンシステム下の全子機に対してドアホン呼出報知を送信することができる。
【００５４】
例えばドアホン呼出報知を受信したドアホン子機１０５（図３に示す）は、スピーカーやベルで呼出音を鳴らす。応答者がドアホン子機１０５の応答ボタンを押すことにより、ドアホン子機１０５はまず空きＴＤＭＡスロット上で無線ドアホン親機１０３と通話するための通信スロットを確立する。通信スロットが確立すると、ドアホン子機１０５は無線ドアホン親機１０３にドアホン子機応答を送信する。
【００５５】
無線ドアホン親機１０３において、無線部２０１を介して、ドアホン子機応答を受信したデータ受信部２０５は、主制御部２０６にドアホン子機呼出応答を出力する。ドアホン子機呼出応答を入力した主制御部２０６は、ドアホン１０４のドアホン通話部２１３とデータ受信部２０５を接続することで、無線ドアホン親機１０３を経由して、ドアホン子機１０５とドアホン１０４間で通話できるようになる。
【００５６】
［制御信号を受信できないまま検索タイマ満了］
次に、図４のように、コードレス電話親機１０１からの制御信号を受信できない状態で、制御信号検索タイマが満了してしまった場合の説明を行う。
【００５７】
無線ドアホン親機１０３は、コードレス電話親機１０１が定期的に送信する制御信号を同期維持状態である無線部２０１を介して、制御信号検出部２０２で検出できなかった場合、制御信号検出部２０２は制御信号検索タイマ部２０３に制御信号検索タイマ起動通知を出力する。この場合、制御信号検出部２０２は制御信号送信部２０７に対して制御信号検出成功通知を出力しなくなるため、制御信号送信部２０７はドアホン子機１０５や兼用子機１０６に対して制御信号を送信しなくなる。その結果、無線ドアホンシステムの同期維持ができなくなってしまう。無線ドアホンシステムの同期が外れると、制御信号検索タイマ部２０３は制御信号検索タイマ起動通知に従って検索タイマを起動し、無線部２０１を制御信号検索状態にする。それにより無線部２０１は連続受信を開始し、制御信号検索タイマ部２０３から同期維持状態になるよう指示されるまで、制御信号検索状態を維持する。
【００５８】
この制御信号検索状態で、来客者がドアホン１０４のドアホン操作部２１２の呼出ボタンを押した場合、主制御部２０６はドアホン呼出を入力し、報知部２０９にドアホン呼出を出力するとともに、ドアホン呼出イベント記憶部２０４にドアホン呼出イベントを記憶させる。ドアホン呼出を入力した報知部２０９は報知を開始する。
【００５９】
コードレス電話親機１０１からの制御信号を、無線部２０１を介して制御信号検出部２０２が検出できないまま制御信号検索タイマが満了すると、制御信号検索タイマを停止し、制御信号検索タイマ部２０３はドアホン呼出イベント記憶部２０４に制御信号検索失敗通知を、制御信号送信部２０７に制御信号検索失敗通知を出力し、連続受信を行っている無線部２０１の制御信号検索状態を、単独制御信号送信状態に変更する。
【００６０】
制御信号検索失敗通知を入力した制御信号送信部２０７は、無線部２０１を介して無線ドアホン親機１０３独自のＴＤＭＡスロットタイミングで、ドアホン子機１０５や兼用子機１０６に制御信号を送信開始する。このように動作することで、ドアホン子機１０５と兼用子機１０６は無線ドアホン親機１０３に同期するため、結果的に無線ドアホンシステムが単独で同期することになる。
【００６１】
制御信号検索失敗通知を入力したドアホン呼出イベント記憶部２０４は、事前に記憶していたドアホン呼出イベントをデータ送信部２０８に出力する。ドアホン呼出イベントを入力したデータ送信部２０８は、空きＴＤＭＡスロット上で無線部２０１を介して、無線ドアホンシステム下の全子機に対してドアホン呼出報知を送信する。
【００６２】
例えばドアホン呼出報知を受信したドアホン子機１０５は、スピーカーやベルで呼出音を鳴らす。応答者がドアホン子機１０５の応答ボタンを押すことにより、ドアホン子機１０５はまず空きＴＤＭＡスロット上で無線ドアホン親機１０３と通話するための通信スロットを確立する。通信スロットが確立すると、ドアホン子機１０５は無線ドアホン親機１０３にドアホン子機応答を送信する。
【００６３】
無線ドアホン親機１０３において、無線部２０１を介してドアホン子機応答を受信したデータ受信部２０５は、主制御部２０６にドアホン子機呼出応答を出力する。ドアホン子機呼出応答を入力した主制御部２０６は、ドアホン１０４のドアホン通話部２１３とデータ受信部２０５を接続することで、無線ドアホン親機１０３を経由して、ドアホン子機１０５とドアホン１０４間で通話できるようになる。さらに、通話終了を検出した無線部２０１は、単独制御信号送信状態から制御信号検索状態へ移行する。その結果、コードレス電話親機１０１からの制御信号を受信するまで制御信号検索状態を繰返し、最終的にコードレス電話親機１０１からの制御信号を受信すると、同期維持状態となり、通常動作が可能となる。
【００６４】
以上、本発明の実施の形態について説明してきたが、本発明は実施の形態に限定されるものではない。
【００６５】
本実施の形態では、無線ドアホン親機１台、コードレス電話親機１台だけ備えたものであったが、複数台の無線ドアホン親機とコードレス電話親機を備えていてもよい。その場合には１台のコードレス電話親機ａを無線通信システム全体の制御局とし、その他の無線ドアホン親機とコードレス電話親機をコードレス電話親機ａの従属局として動作させることとなる。
【００６６】
又、本実施の形態ではコードレス電話親機を無線通信システム全体の制御局、無線ドアホン親機を無線通信システム全体の従属局とした例を示したが、実施の形態と逆の構成、即ち、コードレス電話親機を無線通信システム全体の従属局、ドアホン親機を無線通信システム全体の制御局としてもよい。
【００６７】
又、本発明は２つの制御局が存在する無線通信システムに広く応用が可能で有り、例えば、２台のコードレス電話親機の一方が制御局、他方が従属局となるような同一の無線設備が複数ある構成やコードレス電話、無線ドアホン以外の無線ＬＡＮ等の無線通信装置への適用も可能である。
【産業上の利用可能性】
【００６８】
本発明は、複数の制御局が存在する無線通信システムにおいて、無線通信システム全体の同期が維持できなくなった場合でも、必要に応じて個別の無線通信システムが単独で同期することで、元来持っている個別の固有サービスを提供できるので、制御局と従属局とが時分割多重で通信を行う無線通信システムに好適である。
【図面の簡単な説明】
【００６９】
【図１】本発明の実施の形態に係る無線通信システムの構成を説明する図
【図２】本発明の実施の形態に係る無線ドアホン親機とドアホンの構成を説明する図
【図３】本発明の実施の形態に係る無線通信システムの動作を説明するシーケンスチャート
【図４】本発明の実施の形態に係る無線通信システムの動作を説明するシーケンスチャート
【図５】コードレス電話システムと無線ドアホンシステムを備えた無線通信システムの構成を示す図
【符号の説明】
【００７０】
１０１    コードレス電話親機
１０２    コードレス電話子機
１０３    無線ドアホン親機
１０４    ドアホン
１０５    ドアホン子機
１０６    兼用子機
２０１    無線部
２０２    制御信号検出部
２０３    制御信号検索タイマ部
２０４    ドアホン呼出イベント記憶部
２０５    データ受信部
２０６    主制御部
２０７    制御信号送信部
２０８    データ送信部
２０９    報知部
２１０    ドアホン親機操作部
２１１    ドアホン親機通話部
２１２    ドアホン操作部
２１３    ドアホン通話部
【図１】
0004696714.tif 000002
【図２】
0004696714.tif 000003
【図３】
0004696714.tif 000004
【図４】
0004696714.tif 000005
【図５】
0004696714.tif 000006